(57)【要約】【課題】酸化スケール等の異物による侵食をより一層少なくさせて長期に亘る安定運転の確保を図る蒸気タービンを提供する。【解決手段】本発明に係る蒸気タービンは、タービンノズル１７とタービン動翼１８とを備え、前記タービンノズル１７を支持するダイヤフラム外輪２０を前記タービン動翼１８の出口側まで延設するエレメント２２に設けた溝２５に嵌装し、前記タービン動翼１８に対峙してラビリンスパッキンリング２７を備えた蒸気タービンにおいて、前記溝２５の入口側側面３２にタービンノズル後縁端面側２８から下流側に向って延設する突き出し片２９ａ，２９ｂを設けるとともに、この突き出し片２９ａ，２９ｂの頭部平坦の前記ラビリンスパッキンリング２７の鍔３０との当接面積を広くさせる構成にした。【選択図】  図１
2005220879.tif 000002
【特許請求の範囲】
【請求項１】
タービンノズルとタービン動翼とを備え、前記タービンノズルを支持するダイヤフラム外輪を前記タービン動翼の出口側まで延設するエレメントに設けた溝に嵌装し、前記タービン動翼に対峙してラビリンスパッキンリングを備えた蒸気タービンにおいて、前記溝の入口側側面にタービンノズル後縁端面側から下流側に向って延設する突き出し片を設けるとともに、この突き出し片の頭部平坦の前記ラビリンスパッキンリングの鍔との当接面積を広くさせる構成にしたことを特徴とする蒸気タービン。
【請求項２】
タービンノズルとタービン動翼とを備え、前記タービンノズルを支持するダイヤフラム外輪を前記タービン動翼の出口側まで延設するエレメントに設けた溝に嵌装し、前記タービン動翼に対峙してラビリンスパッキンリングを備えた蒸気タービンにおいて、前記溝の入口側側面のタービンノズル後縁端面側に複数の段差を備えたことを特徴とする蒸気タービン。
【請求項３】
タービンノズルとタービン動翼とを備え、前記タービンノズルを支持するダイヤフラム外輪を前記タービン動翼の出口側まで延設するエレメントに設けた溝に嵌装し、前記タービン動翼に対峙してラビリンスパッキンリングを備えた蒸気タービンにおいて、前記溝のタービンノズル後縁の側における溝深さを深く形成するとともに、この溝深さに合わせて前記ラビリンスパッキンリングの上流側厚み幅を厚くする平坦面に形成したことを特徴とする蒸気タービン。
【請求項４】
タービンノズルとタービン動翼とを備え、前記タービンノズルを支持するダイヤフラム外輪を前記タービン動翼の出口側まで延設するエレメントに設けた溝に嵌装し、前記タービン動翼に対峙してラビリンスパッキンリングを備えた蒸気タービンにおいて、タービンノズル後縁の側における前記溝の入口側側面に前記タービン動翼の回転方向に沿って形成した切欠溝と、この切欠溝の終端に設けた案内片と、この案内片に囲われ、前記切欠溝に設けた異物吸込口に連通し、前記ダイヤフラム外輪およびタービンケーシングを貫装させる通路とを備えたことを特徴とする蒸気タービン。
【請求項５】
切欠溝は、外側に向って深く抉られた曲面状に形成したことを特徴とする請求項４記載の蒸気タービン。
【請求項６】
通路は、ノズルダイアフラム外輪とタービンケーシングとの間に接続管を備えたことを特徴とする請求項４記載の蒸気タービン。
【請求項７】
通路は、先端に通口を穿設した蓋を備えたことを特徴とする請求項４記載の蒸気タービン。
【請求項８】
タービンノズルとタービン動翼とを備え、前記タービンノズルを支持するダイヤフラム外輪を前記タービン動翼の出口側まで延設するエレメントに設けた溝に嵌装し、前記タービン動翼に対峙してラビリンスパッキンリングを備えた蒸気タービンにおいて、タービンノズル後縁の側における前記溝の入口面と前記ラビリンスパッキンリングとの間に嵌装させたラビリンスパッキンリング支持片と、このラビリンスパッキンリング支持片に設けられた異物吸込口に連通し、前記ダイヤフラム外輪およびタービンケーシングを貫装させる通路と、この通路に設けられ、異物を処理する異物収集装置とを備えたことを特徴とする蒸気タービン。
【請求項９】
異物吸込口はタービン動翼の回転方向に沿って開口面積を広くする構成にしたことを特徴とする請求項８記載の蒸気タービン。
【発明の詳細な説明】
【技術分野】
【０００１】
本発明は、蒸気タービンの侵食防止装置に係り、特に、運転中、タービン動翼の先端部（チップ）に集まる酸化スケール等の異物を効果的に処理して、異物から受ける影響を少なくさせる蒸気タービンに関する。
【背景技術】
【０００２】
最近の蒸気タービンでは、性能向上および信頼性向上の一環としてタービン内部効率および安定運転の強化、見直しが行われており、その一つにタービン動翼の先端部（チップ）からの蒸気漏洩の防止とともに、酸化スケール等の異物による侵食防止がある。
【０００３】
タービン動翼の先端部からの蒸気漏洩は、タービン内部効率の低下の要因の中でも大きなウエイトを占めている。このため、蒸気漏洩を防止することがタービン内部効率の向上につながる直接的な手段であり、その効果も高いとされている。
【０００４】
従来、タービン動翼の先端部からの蒸気の漏洩防止手段には、例えば、図８に示す構成の蒸気タービンがある。
【０００５】
蒸気タービンは、一般に、タービンケーシング１の中央に配置されたタービンロータ（図示せず）の軸長方向に向って複数段に亘って設けられたタービン段落２を備えている。
【０００６】
このタービン段落２は、蒸気の持つ熱エネルギを速度エネルギに変えるタービンノズル（タービン静翼）３と、蒸気の流れを転向させて次のタービン段落に案内するタービン動翼４とをペアにして備えている。
【０００７】
タービンノズル３は、タービンケーシング１に係合するダイヤフラム外輪５とダイヤフラム内輪６とで支持され、タービンロータの周方向に沿って環状列に配置されている。
【０００８】
また、タービン動翼４は、タービンロータと一体削り出しのタービンディスク７に植設され、その先端に、隣接するタービン動翼と連接させて連成振動を抑制する動翼カバー８を備えている。
【０００９】
一方、ダイヤフラム外輪５は、隣接するタービン動翼４の後縁９まで延設するエレメント１０を備え、このエレメント１０に設けた溝１１にフィン１２を備えたラビリンスパッキンリング１３を嵌合させ、タービンノズル３から出て遠心力の影響を受けながら外側に集まる蒸気ＳＴの漏出をラビリンスパッキンリング１３で抑制する構成になっている。
【００１０】
このように、従来の蒸気タービンは、タービン動翼４の頂部（チップ）にフィン１２を備えたラビリンスパッキンリング１３を設け、タービンノズル３から噴出し、外側に集まる蒸気の漏出を防止し、タービン内部効率の向上を図っていた。
【００１１】
なお、タービン動翼４の頂部から蒸気漏出防止技術として、例えば特開２００３−５６３０３号公報や特開２００３−２１４１１３号公報が開示されている。
【特許文献１】特開２００３−５６３０３号公報
【特許文献２】特開２００３−２１４１１３号公報
【発明の開示】
【発明が解決しようとする課題】
【００１２】
ところで、蒸気タービンには、鉄の腐食に基づいて生成される酸化スケールや給水純化に使用する薬品に基づいて生成されるシリカ等が集まって固形粒子状の異物となり、その異物がタービン高圧部やタービン中圧部のタービン初段落に流入することがある。
【００１３】
すなわち、図８に示すように、蒸気ＳＴとともにタービンノズル３を出た異物Ｐは、タービン動翼４の前縁１４に衝突しながら遠心力の影響を受けてタービン動翼４の先端側に集められ、ここから周方向に向って流されるとともに、一部が滞留する。
【００１４】
その際、ダイヤフラム外輪５、タービン動翼４の前縁１４、動翼カバー８等は、侵食を受け、侵食の進行に伴って脱落事故が発生し、運転に支障を来すことがあった。
【００１５】
このような情況に対し、種々の検討、考察が試行錯誤に加えられているものの、未だ充分な解決策が見出せず、より一層長期に亘る安定運転の確保が求められている。
【００１６】
本発明は、このような事情に基づいてなされているもので、酸化スケール等の固形粒子の異物による侵食をより一層対処・処理させて長期に亘る安定運転の確保を図る蒸気タービンを提供することを目的とする。
【課題を解決するための手段】
【００１７】
本発明に係る蒸気タービンは、上述の目的を達成するため、請求項１に記載したように、タービンノズルとタービン動翼とを備え、前記タービンノズルを支持するダイヤフラム外輪を前記タービン動翼の出口側まで延設するエレメントに設けた溝に嵌装し、前記タービン動翼に対峙してラビリンスパッキンリングを備えた蒸気タービンにおいて、前記溝の入口側側面にタービンノズル後縁端面側から下流側に向って延設する突き出し片を設けるとともに、この突き出し片の頭部平坦の前記ラビリンスパッキンリングの鍔との当接面積を広くさせる構成にしたものである。
【００１８】
また、本発明に係る蒸気タービンは、上述の目的を達成するため、請求項２に記載したように、タービンノズルとタービン動翼とを備え、前記タービンノズルを支持するダイヤフラム外輪を前記タービン動翼の出口側まで延設するエレメントに設けた溝に嵌装し、前記タービン動翼に対峙してラビリンスパッキンリングを備えた蒸気タービンにおいて、前記溝の入口側側面のタービンノズル後縁端面側に複数の段差を備えたものである。
【００１９】
また、本発明に係る蒸気タービンは、上述の目的を達成するため、請求項３に記載したように、タービンノズルとタービン動翼とを備え、前記タービンノズルを支持するダイヤフラム外輪を前記タービン動翼の出口側まで延設するエレメントに設けた溝に嵌装し、前記タービン動翼に対峙してラビリンスパッキンリングを備えた蒸気タービンにおいて、前記溝のタービンノズル後縁の側における溝深さを深く形成するとともに、この溝深さに合わせて前記ラビリンスパッキンリングの上流側厚み幅を厚くする平坦面に形成したものである。
【００２０】
また、本発明に係る蒸気タービンは、上述の目的を達成するため、請求項４に記載したように、タービンノズルとタービン動翼とを備え、前記タービンノズルを支持するダイヤフラム外輪を前記タービン動翼の出口側まで延設するエレメントに設けた溝に嵌装し、前記タービン動翼に対峙してラビリンスパッキンリングを備えた蒸気タービンにおいて、タービンノズル後縁の側における前記溝の入口側側面に前記タービン動翼の回転方向に沿って形成した切欠溝と、この切欠溝の終端に設けた案内片と、この案内片に囲われ、前記切欠溝に設けた異物吸込口に連通し、前記ダイヤフラム外輪およびタービンケーシングを貫装させる通路とを備えたものである。
【００２１】
また、本発明に係る蒸気タービンは、上述の目的を達成するため、請求項５に記載したように、切欠溝は、外側に向って深く抉られた曲面状に形成したものである。
【００２２】
また、本発明に係る蒸気タービンは、上述の目的を達成するため、請求項６に記載したように、通路は、ノズルダイアフラム外輪とタービンケーシングとの間に接続管を備えたものである。
【００２３】
また、本発明に係る蒸気タービンは、上述の目的を達成するため、請求項７に記載したように、通路は、先端に通口を穿設した蓋を備えたものである。
【００２４】
また、本発明に係る蒸気タービンは、上述の目的を達成するため、請求項８に記載したように、タービンノズルとタービン動翼とを備え、前記タービンノズルを支持するダイヤフラム外輪を前記タービン動翼の出口側まで延設するエレメントに設けた溝に嵌装し、前記タービン動翼に対峙してラビリンスパッキンリングを備えた蒸気タービンにおいて、タービンノズル後縁の側における前記溝の入口面と前記ラビリンスパッキンリングとの間に嵌装させたラビリンスパッキンリング支持片と、このラビリンスパッキンリング支持片に設けられた異物吸込口に連通し、前記ダイヤフラム外輪およびタービンケーシングを貫装させる通路と、この通路に設けられ、異物を処理する異物収集装置とを備えたものである。
【００２５】
また、本発明に係る蒸気タービンは、上述の目的を達成するため、請求項９に記載したように、異物吸込口はタービン動翼の回転方向に沿って開口面積を広くする構成にしたものである。
【発明の効果】
【００２６】
本発明に係る蒸気タービンは、タービンノズルを支持するダイヤフラム外輪のタービン動翼の後縁まで延設させるエレメントに設けた溝の側面に、突き出し片を設け、突き出し片の頭部平坦に当接するラビリンスパッキンリングの鍔の接触面積をより一層広くする構成にしたので、侵食による脱落事故を少なくしてタービン段落に安定運転を行わせることができる。
【発明を実施するための最良の形態】
【００２７】
以下、本発明に係る蒸気タービンの実施形態を図面および図面に付した符号を引用して説明する。
【００２８】
図１は、本発明に係る蒸気タービンの第１実施形態を示す概念図である。
【００２９】
本実施形態に係る蒸気タービンは、タービンケーシング１５の中央に配置されたタービンロータ（図示せず）の軸長方向に向って複数段に亘って設けられたタービン段落１６を備えている。
【００３０】
タービン段落１６は、タービンノズル１７とタービン動翼１８とをペアーとして備え、蒸気に膨張仕事をさせ、その際に発生する回転トルクで発電機（図示せず）を回転駆動し、電力を発生させている。
【００３１】
タービンノズル１７は、一端をダイヤフラム内輪１９で支持させ、他端をダイヤフラム外輪２０で支持させるとともに、他端を支持させたダイヤフラム外輪２０をタービンケーシング１５の溝に係合、固定させている。
【００３２】
また、ダイヤフラム外輪２０は、タービン動翼１８の後縁１２まで延設するエレメント２２を備え、タービンロータから削り出されたタービンディスク２３に環状列に植設するタービン動翼１８の先端全域を周方向に沿って覆設している。
【００３３】
また、タービンディスク２３に環状列に植設するタービン動翼１８は、先端に動翼カバー２４を備え、この動翼カバー２４で隣りの数枚のタービン動翼１８を綴らせ、回転中に誘起する連成振動を抑制している。
【００３４】
一方、ダイヤフラム外輪２０のエレメント２２は、周方向に沿って溝２５を備え、この溝２５にフィン２６を設けたラビリンスパッキンリング２７を嵌装させ、このフィン２６でタービンノズル１７から出て遠心力の影響を受け、外側に向って集められた蒸気の動翼カバー２４からの漏出を抑制している。
【００３５】
また、ダイヤフラム外輪２０のエレメント２２は、溝２５の入口側側面にタービンノズル後縁側端面２８から下流側に向って延設する突き出し片２９ａを設け、この突き出し片２９ａの頭部平坦に当接させるラビリンスパッキンリング２７の上流側における鍔３０を嵌装させる際、距離Ｌのより広い当接面積を確保できる構成になっている。
【００３６】
なお、ダイヤフラム外輪２０のエレメント２２は、タービン動翼１８の後縁２１の側における溝２５の入口側側面も、上流側に向って延設する突き出し片２９ｂを備えている。
【００３７】
このように、本実施形態は、ダイヤフラム外輪２０のエレメント２２に設けた溝２５の側面にタービンノズル後縁端面側２８から下流側に向って延設する突き出し片２９を設け、この突き出し片２９の頭部平坦に当接させるラビリンスパッキンリング２７の上流側における鍔３０を嵌装させる際、距離Ｌのより広い当接面積を確保できる構成にしたので、タービンノズル１７から出た蒸気ＳＴに含まれる異物が遠心力の影響を受け、タービン動翼１８の先端側に集められ、ダイヤフラム外輪２０やラビリンスパッキンリング２７のフィン２６等を侵食しようとも、その侵食度合が低ければ脱落事故を防止してタービン段落１６に比較的長期に亘って安定運転を行わせることができる。
【００３８】
図２は、本発明に係る蒸気タービンの第２実施形態を示す概念図である。
【００３９】
本実施形態に係る蒸気タービンは、ダイヤフラム外輪２０のエレメント２２に設けた溝２５のタービンノズル後縁３１の側に設ける入口側側面３２に複数の階段状の段差３３を設けるとともに、段差３３に合わせてラビリンスパッキンリング２７の上流側も階段状にし、より厚い厚み幅Ａを確保する構成にしたものである。
【００４０】
なお、他の構成要素は、第１実施形態に示す構成要素と同一なので、同一符号を付して重複する説明を省略する。
【００４１】
このように、本実施形態は、ダイヤフラム外輪２０のエレメント２２に設けた溝２５のタービンノズル後縁３１の側における入口側側面３２に複数の階段状の段差３３を設けるとともに、段差３３に合わせてラビリンスパッキンリング２７の上流側も階段状にし、より厚い厚み幅Ａを確保する構成にしたから、タービンノズル１７から出た蒸気な含まれる異物が遠心力の影響を受け、タービン動翼１８の先端側に集められ、ダイヤフラム外輪２０やラビリンスパッキンリング２７のフィン２６等を侵食しようとも、その侵食度合が低ければ脱落事故を防止してタービン段落１６に比較的長期に亘って安定運転を行なわせることができる。
【００４２】
なお、本実施形態は、ダイヤフラム外輪２０のエレメント２２に設けた溝２５のタービンノズル後縁３１の側における入口側側面３２に複数の階段状の段差３３を設けるとともに、段差３３に合わせてラビリンスパッキンリング２７の上流側も階段状にし、より厚い厚み幅Ａを確保する構成にしたが、この例に限らず、例えば、図３に示すように、タービンノズル後縁３１の側における溝深さを深くし、この深さに合わせてラビリンスパッキンリング２７の上流側の厚み幅を厚くする平坦面３４にしてもよい。ラビリンスパッキンリング２７の交換の際、形状が簡素化されているので、その組立作業工数が少なくできる点で有効である。
【００４３】
図４および図５は、本発明に係る蒸気タービンの第４実施形態を示す概念図である。
【００４４】
なお、図４は、蒸気タービンの一部切欠縦断面図である。また、図５は、図４のＡ−Ａ矢視方向から切断した側断面図である。
【００４５】
本実施形態に係る蒸気タービンは、図４に示すように、ダイヤフラム外輪２０のエレメント２２に設けた溝２５のタービンノズル後縁３１の側における側面３２に異物排出装置３５を設けたものである。
【００４６】
この異物排出装置３５は、図５に示すように、タービン動翼１８の回転方向Ｒに沿い、水平継手面４３に向うに従って外側に深く抉られた曲面状の切欠溝３６と、この切欠溝３６の終端に設けた案内片３７とを備えている。
【００４７】
また、この異物排出装置３５は、図４および図５に示すように、案内片３７で囲われ、切欠溝３６に設けた異物吸込口３８と、異物吸込口３８に連通し、ノズルダイアフラム外輪２０の上流側に向って延び、途中から折れ曲がって鉛直方向に向って延びる通路３９ａと、この通路３９ａをタービンケーシング１５に設けた通路３９ｂに接続させる接続管４０とを備えている。
【００４８】
また、この異物排出装置３５は、タービンケーシング１５に設けた通路３９ｂの先端に通口４１を穿設する蓋４２を備えている。
【００４９】
このように、本実施形態は、ダイヤフラム外輪２０のエレメント２２に設けた溝２５のタービンノズル後縁３１の側における側面３２に異物排出装置３５を設け、この異物排出装置３５をタービン動翼１８の回転方向Ｒに沿い、水平継手面４３に向うに従って外側に深く抉られた曲面状の切欠溝３６と、切欠溝３６の終端に設けた案内片３７と、案内片３７で囲われ、切欠溝３６に設けた異物吸込口３８と、異物吸込口３８に連通し、途中で折れ曲げられながらタービンケーシング１５に向って延びる通路３９ａ，３９ｂ等で構成し、タービンノズル１７から出て、遠心力の影響を受け、タービン動翼１８の先端側に集められた蒸気ＳＴに含まれる異物のうち、蒸気ＳＴのタービン動翼先端部からの漏出をフィン２６で防止させる一方、切欠溝３６に集められた異物を案内片３７で囲われた異物吸込口３８に吸い込ませ、通路３９ａ，３９ｂを介して、例えば復水器等に排出させるので、ダイヤフラム外輪２０やラビリンスパッキンリング２７のフィン２６等の侵食をより一層少なくさせ、タービン段落１６に比較的長期に亘って安定運転を行わせることができる。
【００５０】
図６および図７は、本発明に係る蒸気タービンの第５実施形態を示す概念図である。
【００５１】
なお、図６は、蒸気タービンの一部切欠縦断面図である。また、図７は、図６のＢ−Ｂ矢視方向から切断した側断面図である。
【００５２】
本実施形態に係る蒸気タービンは、図６に示すように、ダイヤフラム外輪２０のエレメント２２に設けた溝２５のタービンノズル後縁３１の側とフィン２６を備えたラビリンスパッキンリング２７の上流側端面との間にラビリンスパッキンリング支持片４７を嵌装させるとともに、ラビリンスパッキンリング支持片４７に異物排出装置３５を設けたものである。
【００５３】
ラビリンスパッキンリング支持片４７は、図６および図７に示すように、ラビリンスパッキンリング２７の鍔３０に合わせて段状に形成し、入口面４４に、例えば、４個所の異物吸込口３８を備えている。異物吸込口３８は、タービン動翼１８の回転方向Ｒに沿って開口面積を広く形成している。
【００５４】
タービン動翼１８の回転方向Ｒに沿って開口面積を広く形成した異物吸込口３８は、ノズルダイアフラム外輪２０の上流側に向って延び、途中から折れ曲がって鉛直方向に向かい、タービンケーシング１５を突き出る通路３９に連通する。
【００５５】
通路３９は、異物収集装置４６を備えるとともに、この前後に弁４５ａ，４５ｂを介装させ、異物吸込口３８から吸い込んだ酸化スケール等の異物を異物収集装置４６に集め、ここで異物を処理させる。
【００５６】
このように、本実施形態は、ダイアフラム外輪２０のエレメント２２に設けた溝のタービンノズル後縁３１の側をフィン２６を備えたラビリンスパッキンリング２７の上流側端路面との間にラビリンスパッキンリング支持片４７を嵌装させるとともに、ラビリンスパッキンリング支持片４７に通路３９、弁４５ａ，４５ｂ、異物収集装置４６で構成する異物排出装置３５を備え、タービンノズル１７から出て、遠心力の影響を受け、タービン動翼１８の先端側に集められた蒸気ＳＴに含まれる異物のうち、蒸気ＳＴのタービン動翼先端部からの漏出をフィン２６で防止させる一方、異物吸込口３８に吸い込ませた異物を、通路３９を介して異物収集装置４６で処理させる構成にしたので、ダイアフラム外輪２０やラビリンスパッキンリング２７のフィン２６等の侵食をより一層少なくさせ、タービン段落１６に比較的長期に亘って安定運転を行わせることができる。
【図面の簡単な説明】
【００５７】
【図１】本発明に係る蒸気タービンの第１実施形態を示す概念図。
【図２】本発明に係る蒸気タービンの第２実施形態を示す概念図。
【図３】本発明に係る蒸気タービンの第３実施形態を示す概念図。
【図４】本発明に係る蒸気タービンの第４実施形態を示す概念図。
【図５】図４のＡ−Ａ矢視方向に沿って切断した側断面図。
【図６】本発明に係る蒸気タービンの第５実施形態を示す概念図。
【図７】図６のＢ−Ｂ矢視方向に沿って切断した側断面図。
【図８】従来の蒸気タービンを示す概念図。
【符号の説明】
【００５８】
１  タービンケーシング
２  タービン段落
３  タービンノズル
４  タービン動翼
５  ダイアフラム外輪
６  ダイアフラム内輪
７  タービンディスク
８  動翼カバー
９  後縁
１０  エレメント
１１  溝
１２  フィン
１３  ラビリンスパッキンリング
１４  前縁
１５  タービンケーシング
１６  タービン段落
１７  タービンノズル
１８  タービン動翼
１９  ダイアフラム内輪
２０  ダイアフラム外輪
２１  後縁
２２  エレメント
２３  タービンディスク
２４  動翼カバー
２５  溝
２６  フィン
２７  ラビリンスパッキンリング
２８  タービンノズル後縁端面側
２９ａ，２９ｂ  突き出し片
３０  鍔
３１  タービンノズル後縁
３２  入口側側面
３３  段差
３４  平坦面
３５  異物排出装置
３６  切欠溝
３７  案内片
３８  異物吸込口
３９ａ，３９ｂ  通路
４０  接続管
４１  通口
４２  蓋
４３  水平継手面
４４  入口面
４５ａ，４５ｂ  弁
４６  異物収集装置
４７  ラビリンスパッキンリング支持片
【図１】
2005220879.tif 000003
【図２】
2005220879.tif 000004
【図３】
2005220879.tif 000005
【図４】
2005220879.tif 000006
【図５】
2005220879.tif 000007
【図６】
2005220879.tif 000008
【図７】
2005220879.tif 000009
【図８】
2005220879.tif 000010